(57)【要約】【課題】  １つの駆動源により開閉扉および遊技球を振り分け誘導する振分部材を作動制御する。【解決手段】  パチンコ機ＰＭの入賞装置４０が、開閉扉５１と、入賞空間４４内の特定領域を通過する遊技球を検出する球検出センサ１３２と、非特定領域を通過する遊技球を検出する球検出センサ１３１と、遊技球を特定領域もしくは非特定領域に振分誘導するシーソー４８０と、所定の位置間を直線移動可能なプランジャ１０２を有したソレノイド１０１と、プランジャ１０２に係合しソレノイド１０１の駆動力を開閉扉５１およびシーソー４８０に伝達する駆動力伝達機構４６０とから構成され、プランジャ１０２を所定の位置間で移動させることにより駆動力伝達機構４６０が開閉扉５１を開閉作動させ、プランジャ１０２を別の所定の位置間で移動させることにより駆動力伝達機構４６０が開閉扉５１を所定の位置に保持したままシーソー４８０の振分作動を行わせる。【選択図】  図４
2006061283.tif 000002
【特許請求の範囲】
【請求項１】
遊技盤と、前記遊技盤の前面に取り付けられ前記遊技盤上を落下する遊技球を受容可能な入賞装置とを備え、所定の当たり条件下で入賞開放して遊技球を前記遊技盤前面に形成された入賞用開口から前記入賞用開口内部に形成された入賞空間へと入賞するように遊技を行う弾球遊技機において、
前記入賞装置が、前記遊技盤に設けられ前記入賞用開口を開閉する開閉部材と、前記入賞空間に入賞した遊技球をそれぞれ受容可能に前記入賞空間内に設けられた特定領域および非特定領域と、前記特定領域を通過する遊技球を検出する第１の球検出手段と、前記非特定領域を通過する遊技球を検出する第２の球検出手段と、前記入賞空間に入賞した遊技球を前記特定領域もしくは前記非特定領域に振り分け誘導するために変位可能な振分部材と、電気駆動されて移動部材を第１の位置から第２の位置を経て第３の位置までの間で直線移動させる電気的駆動手段と、前記移動部材に係合して駆動され、前記移動部材の直線移動に応じて前記開閉部材の開閉作動および前記振分部材の振分変位作動を行わせる駆動力伝達機構とからなり、
前記駆動力伝達機構が、前記振分部材と一体に設けられて平面カム溝が形成された平面カム部と、前記平面カム溝に係合するカム突起部を有して回動可能に配設されたカムシャフト部材と、前記開閉部材の扉開閉シャフトに設けられた扉開閉従動アーム部材と、前記カムシャフト部材上に相対回転自在に設けられて前記扉開閉従動アーム部材と係合する扉開閉駆動アーム部材と、前記カムシャフト部材に取り付けられるとともに前記移動部材と係合し、前記移動部材の前記第１の位置から前記第３の位置までの間の移動に応じて前記カムシャフト部材を回転させる回転アーム部材と、前記カムシャフト部材の回転に対する前記扉開閉駆動アーム部材の相対回転を所定回転範囲内で規制する相対回転規制手段とを有して構成され、
前記移動部材の前記第１の位置から前記第２の位置までの間での移動に対して、前記相対回転規制手段は前記カムシャフト部材と一緒に前記扉開閉駆動アームを回転させて前記扉開閉従動アームを介して前記扉開閉シャフトを回転させて前記開閉部材の開閉作動を行わせ、前記移動部材の前記第２の位置から前記第３の位置までの間での移動に対して、前記相対回転規制手段は前記カムシャフト部材の回転に対して前記扉開閉駆動アーム部材の回転を規制し、前記開閉部材の開閉作動を行わせないように構成され、
前記移動部材の前記第２の位置から前記第３の位置までの間での移動に応じた前記回転アーム部材を介した前記カムシャフト部材の回転により、前記平面カム溝に沿って係合移動する前記カム突起部が前記平面カム部を押圧して前記振分部材を揺動させるように構成されていることを特徴とする弾球遊技機の入賞装置。
【請求項２】
前記振分部材が、上下に揺動可能な平板状に形成され遊技球が転動する転動部を有して構成され、
前記移動部材の前記第２の位置から前記第３の位置までの間での移動に対して、前記カム突起部が前記平面カム溝内を前記平面カム部を押し上げながら係合移動し前記振分部材が一端側に下傾して遊技球が前記非特定領域に誘導され易くなる状態と、前記カム突起部が前記平面カム溝内を前記平面カム部を押し下げながら係合移動し前記振分部材が他端側に下傾して遊技球が前記特定領域に誘導され易くなる状態とに変化することを特徴とする請求項１に記載の弾球遊技機の入賞装置。
【発明の詳細な説明】
【技術分野】
【０００１】
本発明は、遊技盤と遊技盤上における遊技領域に設けられた入賞装置とを備え、所定の当たり条件下で入賞開放して遊技球を入賞させる遊技を行う弾球遊技機の入賞装置に関する。
【背景技術】
【０００２】
上記のような弾球遊技機（パチンコ機）の入賞装置として、例えば特許文献１にも記載されているように、遊技盤の前面に設けられた入賞用開口を開放もしくは閉鎖させる作動を行う開閉扉を制御するためのソレノイド（電気的駆動手段）を遊技盤の裏面側に配設し、開閉扉から延びる扉開閉シャフトとソレノイドの通電により所定の範囲で移動可能なプランジャとをアーム部材等を介して連結させ、ソレノイドによって発生される電気的駆動力をこのアーム部材等を介して扉開閉シャフトに伝達させることで開閉扉を開閉するようにしたものが知られている。そして、所定の当たり条件下で当該ソレノイドを通電させて、閉鎖状態に有る開閉扉を開放させることができるようになっている。
【０００３】
また、入賞装置内には特定領域（いわゆるＶゾーン）および非特定領域と称される遊技球の通路が形成され、開閉扉の開放時に入賞用開口内の入賞空間に受容された遊技球が当該特定領域に進入した場合に、例えば開閉扉の開放時間の延長といった、遊技者に有利な遊技状態を発生させるようになっている。そして、入賞空間に受容された遊技球を特定領域もしくは非特定領域に選択的に振り分けるための、例えばシーソー状であって揺動変位可能な振分部材が入賞空間内に設けられている。この振分部材の揺動変位は、開閉扉の開閉作動と同様にソレノイドによって発生される電気的駆動力を受けてなされるようになっており、入賞装置には上記開閉扉の開閉用ソレノイドとは別個に、振分部材の作動制御用のソレノイドが設けられている。
【特許文献１】特開平７−１８５０７７号公報
【発明の開示】
【発明が解決しようとする課題】
【０００４】
しかしながら、従来においては、上記のように開閉扉および振分部材の作動を各々制御するために複数のソレノイドを設けざるを得ず、ソレノイドが比較的高価であるために入賞装置のコストが高くなっていた。また、近年、パチンコ機では、その遊技盤前面に設けられる液晶パネル等からなる図柄表示装置が、図柄その他の情報を多彩に表示可能とするために大型化しており、遊技盤における図柄表示装置の設置場所を確保するために遊技盤に設けられる入賞装置の小型化が望まれている。ところが、複数のソレノイドを使用したのでは、これらを収納するための収納スペースが入賞装置内に必要となり、入賞装置の小型化は難しかった。
【０００５】
以上のような課題に鑑みて、本発明では低コストで、且つ、小型化された弾球遊技機の入賞装置を提供することを目的とする。
【課題を解決するための手段】
【０００６】
上記課題を解決するために、本発明に係る弾球遊技機の入賞装置は、遊技盤と、遊技盤の前面に取り付けられ遊技盤上を落下する遊技球を受容可能な入賞装置とを備え、所定の当たり条件下で入賞開放して遊技球を遊技盤前面に形成された入賞用開口から入賞用開口内部に形成された入賞空間へと入賞するように遊技を行う弾球遊技機（例えば、実施例におけるパチンコ機ＰＭ）において、入賞装置が、遊技盤に設けられ入賞用開口を開閉する開閉部材（例えば、実施例における開閉扉５１）と、入賞空間に入賞した遊技球をそれぞれ受容可能に入賞空間内に設けられた特定領域（例えば、実施形態における第１球通路１２１）および非特定領域（例えば、実施形態における第２球通路１２２）と、特定領域を通過する遊技球を検出する第１の球検出手段（例えば、実施形態における球検出センサ１３２）と、非特定領域を通過する遊技球を検出する第２の球検出手段（例えば、実施形態における球検出センサ１３１）と、入賞空間に入賞した遊技球を特定領域もしくは非特定領域に振り分け誘導するために変位可能な振分部材と、電気駆動されて移動部材（例えば、実施形態におけるプランジャ１０２）を第１の位置から第２の位置を経て第３の位置までの間で直線移動させる電気的駆動手段（例えば、実施形態におけるソレノイド１０１）と、移動部材に係合して駆動され、移動部材の直線移動に応じて開閉部材の開閉作動および振分部材の振分変位作動を行わせる駆動力伝達機構とからなり、駆動力伝達機構が、振分部材と一体に設けられて平面カム溝が形成された平面カム部と、平面カム溝に係合するカム突起部を有して回動可能に配設されたカムシャフト部材と、開閉部材の扉開閉シャフト（例えば、実施形態における回動軸５１ｂ）に設けられた扉開閉従動アーム部材（例えば、実施形態における扉開閉アーム５２）と、カムシャフト部材上に相対回転自在に設けられて扉開閉従動アーム部材と係合する扉開閉駆動アーム部材（例えば、実施形態における第２アーム６２）と、カムシャフト部材に取り付けられるとともに移動部材と係合し、移動部材の第１の位置から第３の位置までの間の移動に応じてカムシャフト部材を回転させる回転アーム部材（例えば、実施形態における第１アーム６１）と、カムシャフト部材の回転に対する扉開閉駆動アーム部材の相対回転を所定回転範囲内で規制する相対回転規制手段（例えば、実施形態における取付板４２）とを有して構成される。その上で、移動部材の第１の位置から第２の位置までの間での移動に対して、相対回転規制手段はカムシャフト部材と一緒に扉開閉駆動アームを回転させて扉開閉従動アームを介して扉開閉シャフトを回転させて開閉部材の開閉作動を行わせ、移動部材の第２の位置から第３の位置までの間での移動に対して、相対回転規制手段はカムシャフト部材の回転に対して扉開閉駆動アーム部材の回転を規制し、開閉部材の開閉作動を行わせないように構成され、移動部材の第２の位置から第３の位置までの間での移動に応じた回転アーム部材を介したカムシャフト部材の回転により、平面カム溝に沿って係合移動するカム突起部が平面カム部を押圧して振分部材を揺動させるように構成されている。
【０００７】
また、上記構成の弾球遊技機の入賞装置において、振分部材が、上下に揺動可能な平板状に形成され遊技球が転動する転動部を有して構成され、移動部材の第２の位置から第３の位置までの間での移動に対して、カム突起部が平面カム溝内を平面カム部を押し上げながら係合移動し振分部材が一端側に下傾して遊技球が非特定領域に誘導され易くなる状態と、カム突起部が平面カム溝内を平面カム部を押し下げながら係合移動し振分部材が他端側に下傾して遊技球が特定領域に誘導され易くなる状態とに変化するのが好ましい。
【発明の効果】
【０００８】
本発明に関する弾球遊技機の入賞装置によれば、１つのソレノイドを駆動源として開閉扉および振分部材の作動を制御することが可能な構成になっており、従来のように複数のソレノイドを使用する必要のない分、入賞装置のコストを低く抑えることができる。また、上記のように駆動源を１つにすることで、入賞装置を上下もしくは左右に小型化することが可能であり、小型化することによって確保できる遊技盤上のスペースを利用して大型の図柄表示装置を設置し易くなる。さらに、図柄表示装置だけでなく、他の入賞装置等も当該スペースを有効に活用して設置することが可能であるため、遊技盤を設計する上での自由度を増すことができる。
【発明を実施するための最良の形態】
【０００９】
以下、本発明に係る弾球遊技機の入賞装置の好ましい実施形態について、添付図面を参照しながら詳細に説明する。ここではまず、上記入賞装置を備えた弾球遊技機の一例として説明するパチンコ機ＰＭの概要構成を図１および図２を参照して説明する。なお、図１は本発明に係る入賞装置を備えた弾球遊技機の一例として示すパチンコ機の正面図で、図２はパチンコ機の内部構造を表した図である。このパチンコ機ＰＭは、外郭方形枠サイズに構成されて縦向きの固定保持枠をなす外枠１の開口前面に、これに合わせた方形枠サイズに構成されて開閉搭載用の前枠２が正面左側上下に配設されたヒンジ部材３ａ，３ｂで横開き開閉および着脱が可能に取り付けられ、正面右側に設けられた施錠装置４を利用して通常は外枠１と係合された閉鎖状態に保持される。
【００１０】
前枠２の正面側には、前枠２の前面域に合わせた方形状をなし中央部に取り付けられたポリカーボネート板やガラス板等の透明板材を通して遊技盤２０を透視可能なガラス扉５が、さらにガラス扉５の下部には遊技球を整列させて１個ずつ前枠２の裏面に設けられた打球発射装置９に導く上球皿６が、ともに左側縁に内蔵されたヒンジ機構により前枠２に対して横開き開閉および着脱が可能に組み付けられる。ガラス扉５および上球皿６は、通常は施錠装置４および図示しないロック機構を利用して前枠２の前面を覆う閉止状態で保持される。上球皿６のうち横型長方形をなし前枠２に対して開閉可能な当て板６ａの左側上部には賞球払出用の賞球払出口６ｂが設けられている。また、前枠２の下部には下球皿７が設けられ、この下球皿７と並んで遊技球の発射操作を行う操作ハンドル８が取り付けられている。
【００１１】
遊技盤２０は、板厚１９ｍｍ程度の積層合板を所定形状に切断等して、その表面に所定意匠のセルを貼り付けた化粧板（ベニヤとも称される）２１を基板として構成される。化粧板２１の前面側には、帯状の外レール２３ａおよび内レール２３ｂが円弧状に固設され、これらの案内レール２３ａ，２３ｂで囲まれた内側に遊技領域ＰＡが区画される。遊技領域ＰＡには、図示しない多数本の釘とともに一般入賞具２５や始動入賞具２６並びに大入賞具５０を有した入賞装置４０、さらに遊技の進行状況に応じて所定の図柄を表示させる図柄表示装置２８などが取り付けられ、遊技領域ＰＡの下端には入賞具２５，２６，５０に入賞せずに落下した遊技球を遊技盤２０の裏面側に排出させるアウト口２７が設けられている。
【００１２】
始動入賞具２６内における打球の流路には、始動入賞具２６への打球の入賞を検出して検出信号を出力する始動入賞センサ１３３が設けられている。この始動入賞センサ１３３は磁気センサを用いており、検出信号としてハイ信号およびロー信号の２通りの状態をとる始動信号を出力する。この始動信号は、打球を検出していないときにはハイ信号として出力され、打球を検出している間のみロー信号として出力される。なお、光学的又は機械的センサがこの始動入賞センサ１３３として使用されることもある。
【００１３】
また、図柄表示装置２８は、遊技盤２０のほぼ中央に位置しており、この図柄表示装置２８は、３桁の絵柄の組合せから成る「特別図柄」を液晶画面にて変動表示させる図柄表示画面を有して構成されている。図柄表示装置２８の下方には、入賞装置４０を遊技盤２０に取り付けて固定するための図示しない配設孔が設けられており、この配設孔は、遊技盤２０の前面に形成される遊技領域ＰＡから遊技盤２０の裏面側へと貫通形成されている。さらに、図柄表示装置２８の上方には４個の特別図柄保留ランプ２９，２９，２９，２９が設けられている。
【００１４】
図２に示すように、前枠２の裏面下部には、遊技球を外レール２３ａに向けて発射する打球発射装置９、および操作ハンドル８の回動操作を受けて打球発射装置９の作動を制御する発射装置制御基板２００が取り付けられている。また、上球皿６の背後には、通常は閉鎖保持される上球皿６によりその前面側が覆われている遊技補助盤と称される補助機構部が形成され、その前面側に打球発射装置９によって打ち出された遊技球を外レール２３ａに向けて案内する発射レールや、遊技領域ＰＡに到達できずに打球発射装置９側に戻ってきたファール球を下球皿７に排出させるファール球回収経路部材、遊技の展開状況に応
じた効果音を発生させるスピーカなどが取り付けられている。
【００１５】
また、前枠２の背後には、裏セット盤３０が取り付けられている。この裏セット盤３０は、外枠１の内寸サイズよりも幾分小さめの方形状をなし、中央に表裏貫通する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を前枠２側の上下の固定ヒンジ部材１２，１３に係合させて揺動させあるいは係脱させることで、裏セット盤３０が前枠２の背後に横開き開閉および着脱可能に装備され、通常は３箇所の閉鎖レバー３４を利用して前枠２の背面を覆うように閉鎖保持される。
【００１６】
裏セット盤３０には、窓口３１ｗを取り囲むようにして賞球を払い出すための賞球経路が設けられる。すなわち、基枠体３１の裏面側には、遊技球の貯留・供給を行うタンク部材３５、タンク部材３５から供給される遊技球を整列させて流下させる整列樋部材３６、整列樋部材３６から供給される遊技球を受けて所定数量の遊技球を待機保持させる賞球待機通路３７、賞球待機通路３７に待機された遊技球を所定の入賞条件等に基いて払い出す球払出装置３８、球払出装置３８から払い出された遊技球を上下の球皿６，７に導く賞球払出経路３９などの賞球経路が設けられている。また、基枠体３１の前面側には、窓口３１ｗの下方に位置して遊技盤２０の裏面側に排出されたアウト球およびセーフ球、球抜き機構によって賞球経路の途上から排出された抜き球等を集合させる図示しない集合経路が形成され、基枠体３１の裏面側には集合経路と繋がって集合された遊技球を遊技施設側の回収バケットに排出させる図示しない球排出経路が形成されている。
【００１７】
裏セット盤３０の裏面各部には、パチンコ機ＰＭの作動を統括的に制御する主基板７００や、主基板７００からの指令信号を受けて、ソレノイドに向けて制御信号を出力するソレノイド中継基板８００、主基板７００からの指令信号に基いて球払出装置３８の作動制御を行う球払出基板３００、効果照明や効果音の作動制御を行うランプ・音声制御基板４００、これらの制御基板や各種電子機器等に電力を供給する電源基板５００などの回路基板が着脱交換可能に取り付けられ、これら各回路基板や電子機器が図示しないワイヤーハーネスで接続されてパチンコ機ＰＭが構成される。
【００１８】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００１９】
次に、本発明に係る弾球遊技機の入賞装置について図３から図１７を加えてこれらを参照しつつ説明する。なお、図３上記は入賞装置の正面図で、図４は入賞装置内部の斜視図で、図５は入賞装置を構成する駆動アームの分解斜視図で、また、図６乃至図８は駆動アームの斜視図である。また、図７は上記入賞装置を構成するソレノイドに設けられたプランジャの移動の様子を示す図である。また、図８乃至図１０はプランジャの移動に応じた上記駆動アームおよび開閉扉の作動の様子を示す側面図で、図１１はプランジャがＡ位置に位置するときのシーソーの様子を示す図で、図１２はプランジャがＢ位置に位置するときのシーソーの様子を示す図で、図１３はプランジャがＣ位置に位置するときのシーソーの様子を示す図で、図１４はパチンコ機に設けられている制御システムの概略を表したブロック図で、図１５および図１６はパチンコ機における遊技の概要を示すフローチャートの一部で、図１７は遊技球が球検出センサを通過するように誘導される様子を示す図１２および図１３中の矢印Ｄ−Ｄに沿った側面図である。
【００２０】
図柄表示装置２８の下方に設けられた図示しない配設孔に装着される入賞装置４０は、図３に示すように後述するソレノイド類が収納され上記配設孔内に取付可能な直方体状の筺体４１と、筐体４１の前面側を覆う矩形状の開口４２ａが形成された平板状の取付板４２とを有して構成され、取付板４２の裏側を筐体４１の前面に数箇所で固定した状態で筐体４１を配設孔内に遊技盤２０の表側から装入し、取付板４２に形成された４箇所の取付孔４２ｂ，４２ｂ，…を介して遊技盤２０の前面にビス止めすることで、所定の当たり条件下で遊技球を受容可能な大入賞具５０を遊技盤２０前面に有する入賞装置４０が遊技盤２０に固設される。
【００２１】
また、筺体４１の前面には開口４２ａと略同一の大きさであって遊技球を受容可能な矩形状の入賞用開口４３が形成され、この入賞用開口４３の内部には、すなわち、筺体４１内部には、遊技球を受容可能な入賞空間４４を有している。取付板４２の裏面における当該入賞用開口４３両端近傍には、後方へ突出した左右２箇所の軸受部４２ｃ，４２ｃが設けられている。この軸受部４２ｃには、左右に縁部５１ａを有して入賞用開口４３を閉鎖可能に矩形状に形成された開閉扉５１の左右両端から左右に延びる回動軸５１ｂ，５１ｂが各々取り付けられ、開閉扉５１が回動軸５１ｂを回動中心として遊技盤２０の前後に回動可能になっている。すなわち、この開閉扉５１は、直立した状態で入賞用開口４３を閉鎖する閉鎖位置（図４において、５１ｓで示す。）と、遊技盤２０に対して前方に傾斜した開放位置（図４において、５１ｏで示す。）との間で、回動軸５１ｂを回動中心として回動変位可能となっている。
【００２２】
図４に示すように、入賞装置４０は、遊技盤２０前面に設けられた大入賞具５０を構成する上記開閉扉５１を有するほか、筐体４１の内部には、図示しないソレノイド取付部に取り付けられプランジャ１０２を有したソレノイド１０１と、ソレノイド１０１によって発生される駆動力を開閉扉５１およびシーソー４８０に伝達する駆動力伝達機構４６０と、入賞空間４４内に設けられ入賞空間４４内に受容された遊技球を左右いずれかの方向に振り分け誘導する平板状のシーソー４８０と、シーソー４８０後方に左右にシーソー４８０に沿った壁面１１３を有して設けられた直方体状のセンサユニット１１０とから構成される。
【００２３】
また、センサユニット１１０の前面には、前後に略四角形状に開口し特定領域（いわゆるＶゾーン）と称される第１球通路１２１に連通する第１球通路用開口１１１および非特定領域と称される第２球通路１２２に連通する第２球通路用開口１１２が形成されている。さらに、図４には図示していないが、第１球通路用開口１１１の前方には、筐体４１の一部をなし、シーソー４８０上を転動した遊技球を第１球通路用開口１１１に誘導する球受部４６が、第１球通路用開口１１１の下端部と略同一の高さに設けられている（図１４参照）。同様に、第２球通路用開口１１２の前方には、筐体４１の一部をなし、シーソー４８０上を転動した遊技球を第２球通路用開口１１２に誘導する、球受部４６と同一の形状の図示しない球受部が、第２球通路用開口１１２の下端部と略同一の高さに設けられている。
【００２４】
第１球通路１２１には、遊技球が通過可能な平面視略八角形状の検出孔部１３１ａを有し遊技球がこの検出孔部１３１ａを通過したときにこれを磁気的に検出する球検出センサ１３１が設けられている。この球検出センサ１３１は、ハイ信号及びロー信号の２通りの状態をとる球検出信号を出力し、この球検出信号は、遊技球の通過を検出していないときにはハイ信号として出力されるが、遊技球が通過する間はロー信号として出力される。なお、光学的又は機械的センサがこの球検出センサ１３１として使用されることもある。
【００２５】
同様に、第２球通路１２２には、遊技球が通過可能な平面視略八角形状の検出孔部１３２ａを有し遊技球がこの検出孔部１３２ａを通過したときにこれを磁気的に検出する球検出センサ１３２が設けられている。この球検出センサ１３２は、ハイ信号及びロー信号の２通りの状態をとる球検出信号を出力し、この球検出信号は、遊技球の通過を検出していないときにはハイ信号として出力されるが、遊技球が通過する間はロー信号として出力される。なお、光学的又は機械的センサがこの球検出センサとして使用されることもある。
【００２６】
駆動力伝達機構４６０は、図４および図５に示すように、シーソー４８０に係合するカム突起部４６９ａが先端に設けられた回動アーム４６９を有し一端が筐体４１内部に設けられた図示しない軸受に軸支されて回動可能に配設されたカムシャフト部材６５と、カムシャフト部材６５に取り付けられるとともにプランジャ１０２と係合し、プランジャ１０２の直線移動に応じてカムシャフト部材６５を回転させる第１アーム６１と、開閉扉５１の左側の回動軸５１ｂの先端に設けられたＵ字形の扉開閉アーム５２と、カムシャフト部材６５に相対回転自在に設けられて扉開閉アーム５２と係合する第２アーム６２のほか、第１アーム６１および第２アーム６２を連結する捩りバネ６３を有して構成される。
【００２７】
図５に示すように、第１アーム６１は、略円筒形状を呈する環状部６１ａと、環状部６１ａから延びる一対の係合突起６１ｂと、係合突起６１ｂから各々環状部６１ａの軸方向に延びる係合指部６１ｃ，６１ｃと、環状部６１ａからその軸方向に円筒状に延びてカムシャフト部材６５に連結される連結部６１ｄと、環状部６１ａおよび連結部６１ｄに渡って軸線方向に貫通する嵌合孔６１ｅとを有して構成される。
【００２８】
また、第２アーム６２は、上記嵌合孔６１ｅに嵌合可能な円筒状の嵌合軸部６２ａと、この嵌合軸部６２ａに対して略直角方向に突出するアーム部６２ｂと、アーム部６２ｂを挟んで嵌合軸部６２ａとは逆方向に嵌合軸部６２ａの軸線方向に円筒状に突出し入賞装置４０の筐体４１の軸受部４５に取り付けられる回動軸６２ｃと、アーム部６２ｂの先端から嵌合軸部６２ａの軸線に対して略平行に延びて扉開閉アーム５２と係合可能な係合片６２ｄとを有して構成される。
【００２９】
そして、金属弾性体をコイル状に巻いた捩りバネ６３を第２アーム６２の嵌合軸６２ａに被せた上で、嵌合軸６２ａを第１アーム６１の嵌合孔６１ｅ内に嵌挿し、略Ｕ字状に鉤型に曲げられた捩りバネ６３の両端部を各々第１アーム６１および第２アーム６２に引っ掛けることで、図６に示すような、第１アーム６１と第２アーム６２とが一体化した駆動アームが構成される。
【００３０】
このようにして一体化した駆動アームは、軸受部４５に取り付けられる回動軸６２ｃを回動中心として（カムシャフト部材６５に連結される連結部６１ｄを回動中心として）、第１アーム６１と第２アーム６２とが一体回動する状態に矢印Ｐ方向に回動させることが可能である（図６（ａ）及び（ｂ）参照）。また、図６（ａ）に示す状態から、第１アーム６１と第２アーム６２とを一体回動させようとする捩りバネ６３による付勢力に抗して、第１アーム６１を連結部６１ｄを回動中心として矢印Ｑ方向に第２アーム６２に対して相対回動させることも可能である（図６（ｃ）参照）。
【００３１】
また、駆動力伝達機構４６０を構成する回動アーム４６９の先端には、前述したようにカムシャフト部材６５の長手軸方向に突出するカム突起部４６９ａが形成されている。回動アーム４６９はカムシャフト部材６５の回動にともなって、カムシャフト部材６５を回動中心としてその回動方向に回動可能であり、これとともに回動アーム４６９先端のカム突起部４６９ａを移動させることが可能になっている。
【００３２】
入賞用開口４３を通過して入賞空間４４内に導入された遊技球を左右いずれかの方向に振り分け誘導するシーソー４８０は、第１球通路用開口１１１側と第２球通路用開口１１２側との間を左右に平板状に延びて上面を遊技球が転動可能な転動部４８４と、当該転動部４８４と一体に設けられ、転動部４８４の第２球通路用開口１１２側端部からカムシャフト部材６５側に延びる平板状の平面カム部４８５を有して構成される。この平面カム部４８５には、前後方向に蛇行するように延びて回動アーム４６９先端のカム突起部４６９ａに係合する平面カム溝４８５ａが設けられている。そして、回動アーム４６９の回動とともに（カムシャフト部材６５の回動とともに）、カム突起部４６９ａが平面カム溝４８５ａ内を係合移動できるようになっている。
【００３３】
また、シーソー４８０の下部には、前後に挿通しシーソー４８０の揺動軸８２を嵌挿するための取付穴８３が設けられている。そして、この揺動軸８２の一端が筐体４１の側に設けられた図示しない取付穴に挿通された上で取付板４２の裏面に十分近接する状態に取り付けられており、シーソー８０は後方に撓むことなくカムシャフト部材６５の長手方向に略直交する揺動軸８２を揺動中心として上下（矢印Ｙ方向に）に揺動可能となっている。
【００３４】
上記のように構成される開閉扉５１の開閉作動およびシーソー４８０の振分作動をさせるための駆動源として、ラッチングソレノイド１０１（以下、「ソレノイド１０１」という。）が入賞装置４０内に配設されている。このソレノイド１０１は、図示しない２個のコイルおよび永久磁石を内蔵し、入賞装置４０の筺体４１内部に載置されるソレノイド本体１０１と、このソレノイド本体１０１に対して前後に延びて前後方向に所定の位置間を直線移動可能なプランジャ１０２とを有して構成される。このプランジャ１０２の先端部分には、前述した第１アーム６１に設けられた係合指部７１ｃ間に係合するピストン部１０２ａが設けられている。このプランジャ１０２は、図７に示すように、中立位置からプランジャ１０２が突出したＡ位置（第１の位置）と、中立位置であるＢ位置（第２の位置）と、中立位置からプランジャ１０２が吸引されたＣ位置（第３の位置）との３位置に、その長手軸方向（図７におけるＸ方向）に沿って直線移動可能である。
【００３５】
プランジャ１０２が中立位置であるＢ位置に位置する状態に保持されているときに、ソレノイド１０１内の複数のコイルのうち、一方のコイルにパルス電圧を印加して通電すると、発生した磁界によりプランジャ１０２が磁力を受けてＡ位置に向けて移動する。プランジャ１０２がＡ位置に突出した状態で、コイルへの通電を停止してもプランジャ１０２は永久磁石によりその位置に保持される。そして、プランジャ１０２がＡ位置に突出した状態で、当該一方のコイルに逆方向にパルス電圧を印加すると、プランジャ１０２は中立位置であるＢ位置に復帰する。そして、Ｂ位置に復帰したプランジャ１０２は、コイルへの通電を停止しても永久磁石によりその位置に保持される。
【００３６】
一方、プランジャ１０２がＢ位置に位置する状態において、ソレノイド１０１内の他方のコイルにパルス電圧を印加して通電すると、発生した磁界によりプランジャ１０２が磁力を受けてＣ位置に向けて移動する。プランジャ１０２がＣ位置に吸引された状態で、コイルへの通電を停止してもプランジャ１０２は永久磁石によりその位置に保持される。そして、プランジャ１０２がＣ位置に吸引された状態で、当該他方のコイルに逆方向にパルス電圧を印加すると、プランジャ１０２は中立位置であるＢ位置に復帰する。そして、Ｂ位置に復帰したプランジャ１０２は、コイルへの通電を停止しても永久磁石によりその位置に保持される。このように、電圧を印加するコイルの選択とそのコイルに印加する電圧の印加方向によりプランジャ１０２の移動位置（プランジャ１０２先端のピストン部１０２ａの移動位置）を制御することが可能であり、ソレノイド１０１に継続的に電力を供給しなくても、プランジャ１０２を特定の位置に保持できるようになっている。
【００３７】
ここで、上記のように構成される駆動力伝達機構４６０を用いた、開閉扉５１の開閉作動の制御と、シーソー４８０の振分変位作動の制御について説明する。
【００３８】
図８に示すように、プランジャ１０２のピストン部１０２ａがＡ位置にある場合には、開閉扉５１は直立している。このとき開閉扉５１は、入賞用開口４３を閉鎖する閉鎖位置にある。そして、プランジャ１０２のピストン部１０２ａがＡ位置に位置する状態から、Ｂ位置に位置するように左動すると、図９に示すように、第１アーム６１および第２アーム６２が回動軸６２ｃを中心として反時計方向に一体回動する。このとき、第２アーム６２のアーム部６２ｂが回動軸６２ｃを回動中心として反時計方向に回動し、これとともに係合片６２ｄにより扉開閉アーム５２が押圧される。このため、先端に扉開閉アーム５２を有する回動軸５１ｂが時計方向に回動して、開閉扉５１が回動軸５１ｂを中心として取付板４２に対して前傾するように（矢印Ｒ方向に）回動される（図９参照）。
【００３９】
開閉扉５１が側面視で略水平の状態になるまで前傾すると、図９に示すように、開閉扉５１の縁部５１ａが取付板４２に当接し、この取付板４２によって開閉扉５１が当該略水平位置よりもさらに矢印Ｒ方向に回動されるのが規制される。このため、係合片６２ｄの回動軸６２ｃを中心とした反時計方向への回動が規制されて、第１アーム６１および第２アーム６２の反時計方向への一体回動が阻止される。
【００４０】
さらに、プランジャ１０２のピストン部１０２ａがＢ位置からＣ位置に位置するようにプランジャ１０２が左動すると、図１０に示すように、第２アーム６２は図９に示す回動位置に保持されたまま、捩りバネ６３による第１アーム６１を時計方向に回動させようとする付勢に抗して、第１アーム６１のみが回動軸６２ｃを回動中心として反時計方向に回動する。
【００４１】
次に、以上のようにプランジャ１０２のピストン部１０２ａがＡ位置からＢ位置を経てＣ位置まで移動する間の、シーソー４８０の振分変位作動の様子を図１１から図１３を用いて説明する。まず、プランジャ１０２のピストン部１０２ａがＡ位置とＢ位置との間を移動する場合には、図１１（ｂ）に示すように、変曲点Ｊよりもカムシャフト部材６５側に位置するカム突起部４６９ａが平面カム部４８５を押し上げる状態で平面カム溝４８５ａ内を係合移動する。このため、第２球通路用開口１１２側から第１球通路用開口１１１側に向かって下傾する。
【００４２】
一方、プランジャ１０２のピストン部１０２ａがＢ位置とＣ位置との間を移動する場合には、カム突起部４６９ａが変曲点Ｊよりもカムシャフト部材６５側に位置して平面カム部４８５を押し上げる状態で平面カム溝４８５ａ内を係合移動する状態（図１２参照）と、カムシャフト部材６５の回動とともにカム突起部４６９ａが変曲点Ｊを越えて移動し、平面カム部４８５を押し下げる状態で平面カム溝４８５ａ内を係合移動する状態（図１３参照）とにカム突起部４６９ａの係合移動とともに変化する。
【００４３】
このため、プランジャ１０２のピストン部１０２ａがＢ位置とＣ位置との間を移動する過程で、シーソー４８０が第２球通路用開口１１２側から第１球通路用開口１１１側に向かって下傾するような状態と、シーソー４８０が第１球通路用開口１１１側から第２球通路用開口１１２側に向かって下傾するような状態とに、カムシャフト部材６５の回動とともに変化することにより、入賞用開口４３から入賞空間４４内に落入した遊技球は、第２球通路１２２に比べて第１球通路１２１の方により誘導され易い状態と、第１球通路１２１側に比べて第２球通路１２２の方により誘導され易い状態とに変化するようになる。
【００４４】
ここで、パチンコ機ＰＭを制御する制御システムの概略を説明する。図１４に示すように、本制御システムは、遊技盤２０に配設された遊技盤側電気部品である球検出センサ１３１，１３２、始動入賞センサ１３３、ソレノイド中継基板８００、ソレノイド１０１，図柄表示装置２８等と、裏セット盤３０に配設された枠側電気部品である上述の主基板７００等とから構成され、これらがケーブル等により電気的に接続されている。
【００４５】
すなわち、主基板７００は始動入賞センサ１３３に接続されて、始動入賞センサ１３３からの検出信号（始動信号）が主基板７００に入力される。また、ソレノイド１０１は、ソレノイド中継基板８００を介して主基板７００と接続され、主基板７００からのソレノイド駆動信号が、ソレノイド中継基板８００を介してソレノイド１０１に入力され、ソレノイド１０１を駆動させるようになっている。また、主基板７００からの図柄表示信号が図柄表示装置２８に入力されると、図柄表示装置２８が作動して複数の図柄表示部における図柄の変動表示をさせるようになっている。
【００４６】
主基板７００は、パチンコ機ＰＭの動作全体を管理するシステムプログラム及び遊技用の実行プログラムが予め記憶されている半導体メモリ等で形成された記憶部およびこれらのプログラムを実行するマイクロプロセッサ（以下、「ＣＰＵ」という。）を有する制御部７１０と、主基板７００の制御とは無関係に図柄抽選用の乱数（例えば、０〜６５５３５の６５５３６個の乱数値）を発生させる乱数発生部７２０とから構成されている。
【００４７】
ＣＰＵ７１１は、図柄抽選手段Ｂ７３を有している。主基板７００は、始動入賞センサ１３３からのロー信号（始動信号）を検出すると、この図柄抽選手段Ｂ７３により、乱数発生部７２０から順次発生する６５５３６個の乱数のうちの１つのカウント値を取得することで、図柄表示装置２８における停止図柄の決定が行われる。
【００４８】
制御部７１０には上記のＣＰＵ７１１のほか、ＲＯＭ７１２が設けられており、ＣＰＵ７１１が実行すべき制御プログラム及び制御の過程で必要なデータはＲＯＭ７１２に記載されている。これら必要なデータのうち、例えば図柄データテーブルＢ７４には、図柄表示装置２８における停止図柄を決定するための図柄データが記録されている。個々の図柄データにはアドレス番号が付与されており、１つのアドレス番号から１つの図柄データが特定されることとなっている。上述のように、始動入賞センサ１３３からのロー信号（始動信号）を検出すると、乱数発生部７２０により発生した乱数の中から抽選した図柄抽選用のカウント値と、図柄データテーブルＢ７４内の図柄データとの照合により停止図柄が選択される。そして、主基板７００からの図柄表示信号に基いて選択された所定の図柄が図柄表示装置２８上に表示される。
【００４９】
上記のようにして、図柄抽選手段Ｂ７３による抽選結果に基いて選択された３桁の絵柄もしくは数字の組合せから成る「特別図柄」（例えば、「１４７」，「２５８」）が図柄表示装置２８の液晶画面に表示されるが、この特別図柄のうち、３桁がいずれも同一種類の絵柄の組合せから成るもの（例えば、「１１１」，「７７７」）を「大当たり図柄」と称する。
【００５０】
次にパチンコ機ＰＭにおける遊技の概要について、図１５および図１６のフローチャートを参照しつつ説明する。なお、図１５および図１６に示すフローチャートは、丸囲みＡの部分同士が繋がって１つのフローチャートを構成し、丸囲みＢの部分同士が繋がって１つのフローチャートを構成している。
【００５１】
まず、操作ハンドル８を遊技者が操作することで、遊技盤２０に打球が弾球される。この打球は、遊技盤２０上に設けられた図示しない釘等に接触しながら、遊技盤２０を落下する。そして、落下の過程で始動入賞具２６へ入賞（ステップＳ１）するか、もしくは一般入賞具２５へ入賞（ステップＳ２０）すると、賞球払出口６ｂから所定の数（例えば５球）の賞球が遊技者に払い出される（ステップＳ２もしくはステップＳ２１）。
【００５２】
始動入賞具２６への入賞があった場合に、制御部７１０に記憶されている保留球数が０の場合には、以降の図柄の変動処理は実行されることはなく、一方、保留球数が１以上４以下の場合には、保留球数から１が減算される（ステップＳ３）。そして、始動入賞センサ１３３から出力される検出信号に基いて賞球払出口６ｂから所定の数（例えば５球）の賞球が払い出されるのに加え、主基板７００から制御信号が図柄表示装置２８に出力され、図柄表示装置２８が作動して図柄の変動表示が開始される（ステップＳ４）。なお、図柄表示装置２８における図柄の変動表示の最中に打球が始動入賞具２６に入賞した場合には、保留球数が最大４個まで制御部７１０において記憶され、記憶された保留球数分に相当する回数だけ、以後の図柄表示装置２８の作動が保証されることとなっている。記憶された保留球数は、遊技盤２０上の特別図柄保留ランプ２９，２９，２９，２９が点灯することで遊技者が認識できるようになっている。
【００５３】
そして、続くステップＳ５において、図柄抽選手段Ｂ７３により、乱数発生部７２０により生成される乱数のうちの１つのカウント値が取得され、このカウント値に応じた停止図柄が選択される。そして、主基板７００からの図柄表示信号に基いて選択された所定の図柄が図柄表示装置２８上に表示される（ステップＳ６）。
【００５４】
このとき、図柄抽選手段Ｂ７３により取得されたカウント値が所定の当選値であるか否かが判断され（ステップＳ７）、所定の当選値でない限りは、すなわち、図柄表示装置２８に停止表示された図柄が所定の大当たり図柄でない限りは、主基板７００からソレノイド駆動信号がソレノイド１０１に出力されないためにソレノイド１０１は通電されず、開閉扉５１は直立した状態のままであり、開閉扉５１は閉鎖状態を保つ（ステップＳ８）。このような開閉扉５１の閉鎖状態では、入賞空間４４内に遊技球が進入できないため、遊技盤２０上を落下する遊技球は、大入賞具５０に入賞せずに、下方のアウト口２７に至る。
【００５５】
一方、図柄抽選手段Ｂ７３により取得されたカウント値が所定の当選値である場合には、すなわち、図柄表示装置２８における図柄変動の結果、停止表示される特別図柄が所定の大当たり図柄の場合には、「大当たり遊技」が発生する。そして、主基板７００からソレノイド駆動信号がソレノイド１０１に出力されてソレノイド１０１が通電され、プランジャ１０２のピストン部１０２ａはＢ位置に位置するように移動して、普段は閉鎖位置にある開閉扉５１が所定の前傾した位置まで回動し、大入賞具５０は開放状態となる（ステップＳ９）。このような開放状態では、開閉扉５１が遊技盤２０上を落下してくる遊技球を受容し、入賞空間４４内への遊技球の進入が可能となる。このときシーソー４８０は、図１２に示すように、第２球通路用開口１１２側から第１球通路用開口１１１側に向かって下傾するような状態になっている。
【００５６】
シーソー４８０がこのような姿勢になっている場合において、入賞空間４４に受容されてシーソー４８０上に落下した遊技球のうち、センサユニット１１０の壁面１１３により案内されて、シーソー４８０上を右方に転動する遊技球は、球受部４７上を通過した後に第２球通路１２２内に突入する。このとき、第２球通路１２２内に設けられた球検出センサ１３２の検出孔部１３２ａを遊技球が通過して、その検出が行われ（ステップＳ１０）、賞球払出口６ｂから所定の数（例えば１５球）の賞球が払い出される（ステップＳ１１）。
【００５７】
一方、入賞空間４４に受容されてシーソー４８０上に落下した遊技球のうち、センサユニット１１０の壁面１１３により案内されて、シーソー４８０上を左方に転動する遊技球は、球受部４６上を通過した後に第１球通路１２１内に突入する（図１７参照）。このとき、第１球通路１２１内に設けられた球検出センサ１３１の検出孔部１３１ａを遊技球が通過して、その検出が行われ（ステップＳ１０）、賞球払出口６ｂから所定の数（例えば１５球）の賞球が払い出される（ステップＳ１１）。また、球検出センサ１３１の検出孔部１３１ａへの遊技球の通過を契機として、主基板７００からソレノイド駆動信号がソレノイド１０１に出力されてソレノイド１０１が通電され、プランジャ１０２のピストン部１０２ａがＣ位置に位置するように移動する。このとき、図１３に示すように、シーソー４８０が第１球通路用開口１１１側から第２球通路用開口１１２側に向かって下傾するような状態になる。
【００５８】
大入賞具５０は、開放されて所定の時間（例えば３０秒間）経過するか、又は球検出センサ１３１，１３２により所定数（例えば１０球）の入賞の検出があるかの判断がなされて（ステップＳ１２）、いずれかの条件を満たした場合に一旦閉鎖する（ステップＳ１３）。このとき、プランジャ１０２のピストン部１０２ａはＣ位置からＡ位置に移動して、シーソー４８０は、図１１に示すような、第２球通路用開口１１２側から第１球通路用開口１１１側に向かって下傾するような状態に戻る。
【００５９】
そして、大入賞具５０が開放していた間に、第２球通路１２２（特定領域）への入賞があったと判断された場合には（ステップＳ１４）、大入賞具５０は上記のように一旦閉鎖した後、再度開放することとなっている。これにより、大入賞具５０の開放は、所定の回数（例えば１６回）連続することが可能となっている。また、大入賞具５０が所定の回数（例えば１６回）開放し終えるか、又は大入賞具５０の開放中に第２球通路１２２への入賞がなかった場合には（ステップＳ１５）、この大当たり遊技は終了する。
【００６０】
以上説明したように、上記の実施例においては、１つのソレノイドを駆動源として開閉扉および振分部材の作動を制御することが可能な構成になっており、従来のように複数のソレノイドを使用する必要のない分、入賞装置のコストを低く抑えることができる。また、上記のように駆動源を１つにすることで、入賞装置を上下もしくは左右に小型化することが可能であり、小型化することによって確保できる遊技盤上のスペースを利用して大型の図柄表示装置を設置し易くなる。さらに、図柄表示装置だけでなく、他の入賞装置等も当該スペースを有効に活用して設置することが可能であるため、遊技盤を設計する上での自由度を増すことができる。
【図面の簡単な説明】
【００６１】
【図１】本発明に係る入賞装置を備えた弾球遊技機の一例として示すパチンコ機の正面図である。
【図２】上記パチンコ機の内部構造を表した図である。
【図３】上記入賞装置の正面図である。
【図４】上記入賞装置内部の斜視図である。
【図５】上記入賞装置を構成する駆動アームの分解斜視図である。
【図６】上記駆動アームの斜視図で、（ａ）は一体化した第１アームおよび第２アームの様子を、（ｂ）は（ａ）に示す状態から両アームが一体回動する様子を、（ｃ）は（ａ）に示す状態から第１アームが第２アームに対して相対回動する様子を示す図である。
【図７】上記入賞装置を構成するソレノイドに設けられたプランジャの移動の様子を示す図である。
【図８】上記プランジャの移動に応じた上記駆動アームおよび開閉扉の作動の様子を示す側面図である。
【図９】上記プランジャの移動に応じた上記駆動アームおよび開閉扉の作動の様子を示す側面図である。
【図１０】上記プランジャの移動に応じた上記駆動アームおよび開閉扉の作動の様子を示す側面図である。
【図１１】上記プランジャがＡ位置に位置するときのシーソーの様子を示す図で、（ａ）は正面図を、（ｂ）は右側面図を示す。
【図１２】上記プランジャがＢ位置に位置するときのシーソーの様子を示す図で、（ａ）は正面図を、（ｂ）は右側面図を示す。
【図１３】上記プランジャがＣ位置に位置するときのシーソーの様子を示す図で、（ａ）は正面図を、（ｂ）は右側面図を示す。
【図１４】上記パチンコ機に設けられている制御システムの概略を表したブロック図である。
【図１５】上記パチンコ機における遊技の概要を示すフローチャートの一部である。
【図１６】上記パチンコ機における遊技の概要を示すフローチャートの一部である。
【図１７】遊技球が球検出センサを通過するように誘導される様子を示す図１２および図１３中の矢印Ｄ−Ｄに沿った側面図である。
【符号の説明】
【００６２】
ＰＭ  パチンコ機（弾球遊技機）
１  外枠
２  前枠
２０  遊技盤
４０  入賞装置
４２  取付板（相対回転規制手段）
４３  入賞用開口
４４  入賞空間
５０  大入賞具
５１  開閉扉（開閉部材）
５１ｂ  回動軸（扉開閉シャフト）
５２  扉開閉アーム（扉開閉従動アーム部材）
６１  第１アーム（回転アーム部材）
６２  第２アーム（扉開閉駆動アーム部材）
６５  カムシャフト部材
１０１  ソレノイド（電気的駆動手段）
１０２  プランジャ（移動部材）
１２１  第１球通路（特定領域）
１２２  第２球通路（非特定領域）
１３１  球検出センサ（第１の球検出手段）
１３２  球検出センサ（第２の球検出手段）
４６０  駆動力伝達機構
４６９  回動アーム
４６９ａ  カム突起部
４８０  シーソー（振分部材）
４８４  転動部
４８５  平面カム部
４８５ａ  平面カム溝
【図１】
2006061283.tif 000003
【図２】
2006061283.tif 000004
【図３】
2006061283.tif 000005
【図４】
2006061283.tif 000006
【図５】
2006061283.tif 000007
【図６】
2006061283.tif 000008
【図７】
2006061283.tif 000009
【図８】
2006061283.tif 000010
【図９】
2006061283.tif 000011
【図１０】
2006061283.tif 000012
【図１１】
2006061283.tif 000013
【図１２】
2006061283.tif 000014
【図１３】
2006061283.tif 000015
【図１４】
2006061283.tif 000016
【図１５】
2006061283.tif 000017
【図１６】
2006061283.tif 000018
【図１７】
2006061283.tif 000019